(57)【要約】【課題】  新聞の折込用チラシやダイレクトメールで郵送するパンフレットなどの広告用印刷物であって、広告用印刷物の用紙サイズに影響されることなく、どのようなサイズを有する広告用印刷物であっても適応可能で、しかも簡単な仕様でコストも安く気軽に用いることができる、封筒用紙片と封入用紙片とを有する広告用印刷物を提供する。【解決手段】  広告が印刷された用紙の所定部分に、封筒用紙片と、該封筒用紙片で形成された封筒内に封入するための封入用紙片とがそれぞれ切り取り可能に設けられた広告用印刷物であって、前記封筒用紙片の四周縁部分に所定の条件を加えることで接着する接着剤が塗布され、更に前記封筒用紙片の所定部分に該封筒用紙片を２つ折りするための折り畳み予定線が表示されている。【選択図】        図１
0003121907.tif 000002
【実用新案登録請求の範囲】
【請求項１】
広告が印刷された用紙の所定部分に、封筒用紙片と、該封筒用紙片で形成された封筒内に封入するための封入用紙片とがそれぞれ切り取り可能に設けられた広告用印刷物であって、
前記封筒用紙片の四周縁部分に所定の条件を加えることで接着する接着剤が塗布され、更に前記封筒用紙片の所定部分に該封筒用紙片を２つ折りするための折り畳み予定線が表示されていることを特徴とする広告用印刷物。
【考案の詳細な説明】
【技術分野】
【０００１】
本考案は、新聞の折込用チラシやダイレクトメールで郵送するパンフレットなどの広告用印刷物に関する。
【背景技術】
【０００２】
従来、販売促進を図るための手段として、新聞に折込用チラシを入れて配布したり、ダイレクトメールに広告チラシを同封するなどして、広告印刷物を顧客に配布又は郵送している。
このような広告印刷物には、広告情報が掲載されているだけではなく、それらの広告を見た顧客が広告主側へ連絡するために利用する葉書用紙や封筒用紙が付加されていることもあり、顧客は、必要に応じてそれらの葉書用紙や封筒用紙に個人情報を記入して申込みなどを行っている。
既に、封筒と申込用紙と広告とを有する広告用印刷物として、用紙の一部分を利用して封筒が設けられている広告用印刷物が公知となっている。（例えば、特許文献１参照）
【０００３】
しかしながら、上記の公知の広告用印刷物は、予め広告用印刷物の一部分が封筒状態となっており、新聞の折込用チラシのようにシート状の一枚のチラシとして新聞に折り込むことが出来にくく、嵩張ってしまうと共に、種々のサイズの広告用印刷物に適応できにくく、また仕様が複雑で製造コストも高くなるために、気軽に広告印刷物に郵送媒体を付加して利用できないという不便がある。
【０００４】
【特許文献１】特開２００５−３１９６２３号公報
【考案の開示】
【考案が解決しようとする課題】
【０００５】
そこで、本考案は、新聞の折込用チラシやダイレクトメールで郵送するパンフレットなどの広告用印刷物であって、広告用印刷物の用紙サイズに影響されることなく、どのようなサイズを有する広告用印刷物であっても適応可能で、しかも簡単な仕様でコストも安く気軽に用いることができる、封筒用紙片と封入用紙片とを有する広告用印刷物を提供する。
【課題を解決するための手段】
【０００６】
本考案の広告用印刷物は、広告が印刷された用紙の所定部分に、封筒用紙片と、該封筒用紙片で形成された封筒内に封入するための封入用紙片とがそれぞれ切り取り可能に設けられた広告用印刷物であって、前記封筒用紙片の四周縁部分に所定の条件を加えることで接着する接着剤が塗布され、更に前記封筒用紙片の所定部分に該封筒用紙片を２つ折りするための折り畳み予定線が表示されていることを特徴とする。
【考案の効果】
【０００７】
本考案の広告用印刷物は、シート状の一枚の用紙に切り取り可能に、封筒用紙片と封入用紙片とが設けられ、利用者がその封筒用紙片で封筒を作成し、必要事項を記入した封入用紙片を封入し発送できるので、広告用印刷物の用紙サイズに影響されることなく、どのようなサイズを有する広告用印刷物であっても適応可能で、しかも簡単な仕様でコストも安く気軽に用いることができるという効果がある。
【考案を実施するための最良の形態】
【０００８】
以下、本考案の実施形態に係る広告用印刷物について、図面に基づいて詳細に説明する。
図１は、本考案の実施形態に係る広告用印刷物の平面図、図２は、本考案の実施形態に係る広告用印刷物の一部分に設けられた封筒用紙片の平面図、図３は、本考案の実施形態に係る広告用印刷物の使用方法を説明する図である。
【０００９】
本考案の実施形態に係る広告用印刷物１は、図１に示すように、一枚の用紙２の一部分に封筒を形成させるための封筒用紙片３と、更にその封筒用紙片３を用いて形成した封筒内に封入するための封入用紙片４とが設けられている。
封筒用紙片３は、２つに折り畳んだ状態とした場合に定型サイズの封筒となる大きさであることが好ましい。
また、封入用紙片４は、封筒用紙片３で作成した封筒に封入して郵送するもので、封入用紙片４を２つ折りや３つ折りなどして、封入用紙片４で形成した封筒内に封入できる任意の大きさであることが好ましい。
封筒用紙片３は、用紙２に形成された切り取り用ミシン５により簡単に切り取れるように設けられている。
また、封入用紙片４も用紙２に形成された切り取り用ミシン６により簡単に切り取れるように設けられている。
【００１０】
封筒用紙片３は、図２に示すように、その外周の四周縁部分に、所定の条件を加えることで接着する接着剤７が塗布されている。
この接着剤７は、用紙の接着剤が塗布された部分をコインなどで擦って加圧することで接着するタイプの感圧接着剤や、水で湿らせることで接着する水糊などを用いることができる。
いずれにしても、封筒用紙片３に塗布されている接着剤７は、広告用印刷物１を新聞折り込みチラシなどとして配布する際には接着しない状態であるが、加圧などの接着条件を加えることで接着する方式の接着剤が用いられる。
【００１１】
また、封筒用紙片３には、封筒用紙片３から封筒を作成する際に、封筒用紙片３の縦方向の真ん中から２つに折り畳むための折り畳み予定線８が表示されている。
利用者が、折り畳み予定線８から封筒用紙片３を折り畳むことで、封筒用紙片３に塗布されている接着剤７同士が重なり合うようになっていて、重なり合った接着剤７が塗布されている封筒用紙片３同士を外側からコインなどで擦って加圧させることで、接着剤７同士による接着ができるように構成されている。
【００１２】
次に、本考案の広告用印刷物１の使用方法を、図３に基づいて説明する。
まず、広告用印刷物１を用いて広告を行う広告主は、用紙２の表裏面に所望の広告情報を印刷すると共に、封筒用紙片３にも宛先として広告主側の宛先情報の印刷をしておき、例えば、新聞の折り込みチラシなどとして消費者に配布する。
広告用印刷物１の一部にある封筒用紙片３及び封入用紙片４は、例えば資料請求用の葉書として広告用印刷物１を受け取った消費者が、広告用印刷物１に印刷された広告の関する資料請求を行いたいと希望する際に利用できるように、用紙２の所定部分に封筒用紙片３及び封入用紙片４の利用する場合の説明や組み立て方法などを予め印刷させておく。
【００１３】
そして、消費者が封筒用紙片３及び封入用紙片４を用いて資料請求などを行う場合には、封入用紙片４の記入欄などの記入部分に必要事項を記入した後に、図３に示すように、用紙２に形成されている切り取り用ミシン６から封入用紙片４を切り取る。
更に、封入用紙片４を封筒に封入可能な大きさに折り畳む。
【００１４】
また、封筒用紙片３を切り取り用ミシン５から切り取る。
そして、封筒用紙片３を折り畳み予定線８から２つに折り畳む際に、既に折り畳まれている封入用紙片４を封筒用紙片３の中に封入させる。
更に、２つに折り畳まれた封筒用紙片３を接着剤７により接着させて封筒とするために、コインなどの硬い物品を用いて、接着剤が塗布されている用紙部分を外側から擦って加圧し、接着状態にする。
これにより、記入部分に必要事項を記入された封入用紙片４が封入された封筒が出来上がる。
そして、その封筒をポストに投函することで、封筒用紙片３及び封入用紙片４を用いた資料請求などができるようにしてある。
【００１５】
また、封筒用紙片３に塗布されている所定の条件を加えることで接着する接着剤７としては、使用者がコインなどで擦って加圧させた部分を明確にして、まだ加圧していない部分を使用者に知らせることで、接着すべき部分を確実に加圧できるようにするために、加圧時に接着剤塗布部が変色したり、発色する変色剤や発色剤を接着剤に混入させるようにしてもよい。
【図面の簡単な説明】
【００１６】
【図１】本考案の実施形態に係る広告用印刷物の平面図である。
【図２】本考案の実施形態に係る広告用印刷物の一部分に設けられた封筒用紙片の平面図である。
【図３】本考案の実施形態に係る広告用印刷物の使用方法を説明する図である。
【符号の説明】
【００１７】
１  広告用印刷物
２  用紙
３  封筒用紙片
４  封入用紙片
５，６  切り取り用ミシン
７  接着剤
８  折り畳み予定線
【図１】
0003121907.tif 000003
【図２】
0003121907.tif 000004
【図３】
0003121907.tif 000005